(57)【要約】【課題】本発明は、搬入、設置、移設等を簡単に行うことができ、場所を選ばずにどこにでも設置することが可能な組立式ドラフトを提供することを目的とするものである。【課題を解決する手段】本発明は、上記の課題を解決するために、右側面部には内部に蛍光灯、光散板及びコンストンバネを取り付けた右側面パーツを、背面部には背面が開口となった箱状の基板４ａと基板４ａの背面から左右に突出した突出片４ｂからなる背面パーツを、上部には吸い込み防止材を取り付けた排気管を有する天井パーツを、左側面部には内部に蛍光灯、光散板及びコンストンバネを取り付けた左側面パーツを、正面部には観察窓を取り付け組み立て、前記右側面パーツには右化粧カバーを取り付けるとともに、前記左側面パーツには左化粧カバーを取り付けたことを特徴とする組立式ドラフトの構成とした。【選択図】    図１
2005000732.tif 000002
【特許請求の範囲】
【請求項１】
右側面部には内部に蛍光灯、光散板及びコンストンバネを取り付けた右側面パーツを、背面部には背面が開口となった箱状の基板４ａと基板４ａの背面から左右に突出した突出片４ｂからなる背面パーツを、上部には吸い込み防止材を取り付けた排気管を有する天井パーツを、左側面部には内部に蛍光灯、光散板及びコンストンバネを取り付けた左側面パーツを、正面部には観察窓を取り付け組み立て、前記右側面パーツには右化粧カバーを取り付けるとともに、前記左側面パーツには左化粧カバーを取り付けたことを特徴とする組立式ドラフト。
【発明の詳細な説明】
【０００１】
【発明の属する技術分野】
本発明は、組立式のドラフトに関する発明である。
【０００２】
【従来の技術】
従来のドラフトは、大型のものであり、使用者が容易に組み立てられるものではなく、移設することなく固定して使用されている。
【０００３】
【発明が解決しようとする課題】
しかしながら、従来のドラフトは、使用者が容易に組み立てることができず、設置するにも電気の接続工事等が必要であるため、設置使用する場所が限られてしまう。また、従来のドラフトは、組み立てが複雑で、搬入、設置、移設等を容易に行うことができない。
【０００４】
そこで、本発明は、搬入、設置、移設等を簡単に行うことができ、場所を選ばずにどこにでも設置することが可能な組立式ドラフトを提供することを目的とするものである。
【０００５】
【課題を解決するための手段】
本発明は、上記の課題を解決するために、右側面部には内部に蛍光灯、光散板及びコンストンバネを取り付けた右側面パーツを、背面部には背面が開口となった箱状の基板と基板の背面から左右に突出した突出片からなる背面パーツを、上部には吸い込み防止材を取り付けた排気管を有する天井パーツを、左側面部には内部に蛍光灯、光散板及びコンストンバネを取り付けた左側面パーツを、正面部には観察窓を取り付け組み立て、前記右側面パーツには右化粧カバーを取り付けるとともに、前記左側面パーツには左化粧カバーを取り付けたことを特徴とする組立式ドラフトの構成とした。
【０００６】
【実施例】
以下に、添付図面に基づいて、本発明である組立式ドラフトを詳細に説明する。図１から図６は本発明である組立式ドラフトを示した図、図７から図９は本発明である組立式ドラフトを構成する構成部材を示した図、図１０は本発明である組立式ドラフトに用いられる回路図を示した図である。
【０００７】
図１は本発明である組立式ドラフトの斜視図、図２は本発明である組立式ドラフトの構成部材を示す分解斜視図である。図１及び図２に示すように、本発明である組立式ドラフト１は、右側面部１ｃにある右化粧カバー２及び右側面パーツ３、背面部１ｅにある背面パーツ４、上部にある天井パーツ５及び排気管６、左側面部１ｄにある左側面パーツ７及び左化粧カバー８、正面部１ｂにある観察窓９及び観察扉１０の各構成部材から構成されている。
【０００８】
以下、図２に基づき本発明である組立式ドラフトの各構成部材について説明する。先ず、右側面部１ｃにある右化粧カバー２及び左側面部１ｄにある左化粧カバー８について説明する。右化粧カバー２と左化粧カバー８は、左右対称の構成であるので右化粧カバー２の構成のみを説明する。
【０００９】
右化粧カバー２は、本発明である組立式ドラフト１の右側面パーツ３を覆うための化粧カバーである。右化粧カバー２の構成は、右側面パーツ３を覆うカバー板２ａ、前記カバー板２ａの上端部２ｂは右側面パーツ３の上端と面一になるよう平坦に加工され、左端は内部に突出するように突出部２ｃが形成されている。
【００１０】
前記突出部２ｃは、右側面パーツ２の側面部に覆うようにして被さる部分である。突出部２ｃの先端である左端部２ｄは組立式ドラフト１の正面部にあたり、平坦となっている。右化粧カバー２では、左端部２ｄの下部に蛍光灯スイッチ２ｅが設けられている。
【００１１】
右化粧カバー２及び左化粧カバー８は左右対称で同様の構成であるが、左端部２ｄに蛍光灯スイッチ２ｅが設けられているのは右化粧カバー２のみである。即ち左化粧カバー８の左端部８ｄは平坦に形成されている。
【００１２】
右側面部の右側面パーツ３及び左側面部の左側面パーツ７は左右対称の構成であり、右側面パーツ３及び左側面パーツ７の詳細については、図７を基に後述する。
【００１３】
本発明である組立式ドラフト１を構成する背面パーツ４は、本発明である組立式ドラフト１本体の背面を構成する部材である。背面パーツ４は、背面が開口となった箱状の基板４ａと基板４ａの背面から左右に突出した突出片４ｂからなる。
【００１４】
本発明である組立式ドラフト１を構成する天井パーツ５は、基板５ａと排気管から構成されている。天井パーツ５の詳細については、図８及び図９を基に後述することとする。
【００１５】
本発明である組立式ドラフト１の前面を構成する構成部材は、観察窓９及び観察扉１０である。観察窓９は、組立式ドラフト１の前面上部に嵌め込まれる部材で、フレーム９ａに半透明板９ｂが取り付けられている。
【００１６】
本発明である組立式ドラフト１の前面を構成する観察扉１０は、透明板１０ａと透明板１０ａ下部の左右に取り付けられた取っ手１０ｂ、１０ｂからなる。観察扉１０は上下に開閉し、開閉した観察扉１０は後述する左右側面パーツ３、７に取り付けられたコンストンバネ３ｄ、７ｄにより任意の高さで固定することが可能である。
【００１７】
次に、本発明である組立式ドラフトを構成する各構成部材の組み立て方法を説明する。本発明である組立式ドラフト１の組み立てはビスと座金を用いて組み立てるので、プラスドライバーを用意するだけで容易に組み立てることができる。
【００１８】
本発明である組立式ドラフト１の組み立ては、先ず本体を組み立てる。本体の組み立てとは、右側面パーツ３と背面パーツ４をＭ４トラスビスを用いて接続し、同様にして左側面パーツ７を背面パーツ４にＭ４トラスビスを用いて接続する。
【００１９】
背面パーツ４と接続した左右側面パーツ３、７の前部上部に設けられた差込溝３ｈ、７ｈに観察窓９を差し込み、内側面からＭ４皿ビス及び座金を用いて接続し、ビス化粧キャップを嵌め込む。
【００２０】
背面パーツ４、左右側面パーツ３、７及び観察窓９が組み立てられたパーツの上部に天井パーツ５を載せ、Ｍ４皿ビスと座金を用いて接続し、ビス化粧キャップを嵌め込み固定することで、本体の組み立てが完了する。
【００２１】
次に、本体前面に観察扉１０を取り付ける。組み立てられた本体の左右側面パーツ３、７に設けられたガイドレール３ｌ、７ｌに観察扉１０を差し込み、左右側面パーツ３、７に取り付けられているコンストンバネ３ｄ、７ｄ下部の観察扉受け３ｍ、７ｍに観察扉１０を差し込み、観察扉１０を観察扉受け３ｍ、７ｍにＭ４トラスビスを用いて固定する。
【００２２】
左右側面パーツ３、７の左右にある観察扉固定ビスを取り外し、観察扉１０を下まで降ろして、観察扉１０の取り付けが完了する。
【００２３】
次に、蛍光灯３ａ、７ａ等の回路に使用する電線を接続する。左側面パーツ７からの電線と観察窓９のフレーム９ａ左端部からの電線を同じ番号同士で接続し、同様にして右側面パーツ３からの電線と観察窓９のフレーム９ａ右端部からの電線を同じ番号同士で接続する。
【００２４】
最後に、組立式ドラフト１の本体に左右化粧カバー２、８を取り付ける。左右化粧カバー２、８の取り付けは、組み立てられた本体に右化粧カバー２を突出部２ｃが右側面パーツ３の正面を覆うように取り付け、Ｍ４皿ビスと座金を用いて固定し、ビス化粧キャップを嵌め込む。
【００２５】
同様に、左化粧カバー８を突出部８ｃが左側面パーツ７の正面を覆うようにして取り付け、Ｍ４皿ビスと座金を用いて固定し、ビス化粧キャップを嵌め込む。以上で本発明である組立式ドラフト１の組み立てが完了する。
【００２６】
前記のようにして組み立てた組立式ドラフト１は、任意の場所に設置し、組立式ドラフト１本体の背面右側の電源ケーブル接続口に電源ケーブルを接続し、既存のコンセントに接続することで、左右側面パーツ３、７に取り付けられている蛍光灯３ａ、７ａを点灯することができる。
【００２７】
図３は本発明である組立式ドラフトの正面図、図４は本発明である組立式ドラフトの平面図である。図３に示すように、本発明である組立式ドラフト１は前面が観察窓９及び観察扉１０となっている。
【００２８】
そのため、前面が観察窓９の半透明板９ｂ及び観察扉１０の透明板１０ａであることから、観察扉１０が閉じた状態でも組立式ドラフト１の内部の様子を観察することが可能である。
【００２９】
左右側面パーツ３、７の正面部は、左右化粧カバー２、８の突出部２ｃ、８ｃに覆われているので、正面には現れない。また、観察扉１０を開けて、組立式ドラフト１内で作業を行う場合には、右化粧カバー２の下部に設けられた蛍光灯スイッチ２ｅにより蛍光灯３ａ、７ａを点灯することができる。
【００３０】
図４に示すように、左右側面パーツ３、７の上部と、左右化粧カバー２、８の上端部２ｂ、８ｂは面一になっており、その上に取り付けられた天井パーツ５の前後左右に設けられた突出片５ｂ、５ｂ、５ｂ、５ｂが、左右側面パーツ３、７と背面パーツ４と観察窓９の上端に引っ掛かるようにして天井パーツ５が固定されている。
【００３１】
図５は、本発明である組立式ドラフトの図３中に示したＡ−Ａ線に沿った横断面図である。右側面パーツ３は右化粧カバー２に覆われ、左側面パーツ７は左化粧カバー８に覆われ、背面パーツ４と右側面パーツ３、背面パーツ４と左側面パーツ７、左右側面パーツ３、７及び背面パーツ４の天井パーツ５は、それぞれビスを用いて接続されている。
【００３２】
左右側面パーツ３、７の内部には、コンストンバネ３ｄ、７ｄが取り付けられ、前記コンストンバネ３ｄ、７ｄにより、観察扉１０は開閉時に任意の位置で固定される。
【００３３】
観察扉１０の透明板１０ａに取り付けられた左右の取っ手１０ｂ、１０ｂは透明板１０ａを貫通して、透明板１０ａの背面で固定されている。
【００３４】
図６は、本発明である組立式ドラフトの図３中に示したＢ−Ｂ線に沿った縦断面図である。但し、天井パーツ５を構成する排気管６の排気筒６ａは省略した。
【００３５】
図６に示すように、本発明である組立式ドラフト１の内部１ａは、左側面パーツ７の内面板７ｅが内壁となり、内面板７ｅの採光枠７ｆに取り付けられた光散板７ｂから蛍光灯７ａの光が分散され、内部１ａを明るくする。
【００３６】
図示されていないが、同様に右側面パーツ３の内面板３ｅが内壁となり、内面板３ｅの採光枠３ｆに取り付けられた光散板３ｂから蛍光灯３ａの光が分散され、内部１ａを明るくしている。
【００３７】
観察扉１０は、左側面パーツ７に設けられたガイドレール７ｌに嵌め込まれているので、スムーズに上下に開閉することができる。
【００３８】
天井パーツ５は、基板５ａの前後左右に突出した突出片５ｂ、５ｂ、５ｂ、５ｂが左右側面パーツ３、７、背面パーツ４、観察窓９の上端に引っ掛かるようにして取り付けられ、ビス止めされている。
【００３９】
図７は、本発明である組立式ドラフトを構成する右側面パーツ３の右側面図である。右側面パーツ３と左側面パーツ７は左右対称の構成である。図７に示すように右側面パーツ３（左側面パーツ７）は、組立式ドラフト１の内部１ａ側となる内面板３ｅ（７ｅ）に採光枠３ｆ（７ｆ）が設けられ、前記採光枠３ｆ（７ｆ）には組立式ドラフト１の内部１ａ側に光散板３ｂ（７ｂ）が取り付けられている。
【００４０】
組立式ドラフト１の外側となる右側面パーツ３（左側面パーツ７）内には、上部に蛍光灯３ａ（７ａ）が設けられている。前記蛍光灯３ａ（７ａ）の光が採光枠３ｆ（７ｆ）から取り込まれ、光散板３ｂ（７ｂ）により分散されて、組立式ドラフト１の内部１ａを照らすこととなる。
【００４１】
蛍光灯３ａ（７ａ）の光は、蛍光灯３ａ（７ａ）下部に設けられた遮光板３ｇ（７ｇ）により右側面パーツ３（左側面パーツ７）内全体に広がらず、採光枠３ｆ（７ｆ）に取り込まれやすくなっている。符号３ｃ（７ｃ）は保持枠であり、右側面パーツ３が変形しないように補強している。
【００４２】
右側面パーツ３の外側前方には前連結板３ｉ（７ｉ）が設けられ、後方には後連結板３ｊ（７ｊ）が設けられている。前連結板３ｉ（７ｉ）及び後連結板３ｊ（７ｊ）には、複数のビス挿通孔が穿設されている。前記前連結板３ｉ（７ｉ）及び後連結板３ｊ（７ｊ）は、組み立て時の右化粧カバー２を固定する際にビス止めするためのものである。
【００４３】
内面板３ｅ（７ｅ）の前部にはガイドレール３ｌ（７ｌ）が形成されている。前記ガイドレール３ｌ（７ｌ）は、観察扉１０を差し込み、観察扉１０の開閉の際に観察扉１０をスムーズに開閉させるためのガイドとなる。
【００４４】
ガイドレール３ｌの後方で、内面板３ｅ（７ｅ）と前連結板３ｉ（７ｉ）の間に生じた間隙に、コンストンバネ３ｄ（７ｄ）及び観察扉受け３ｍ（７ｍ）が取り付けられている。ガイドレール３ｌ（７ｌ）に差し込まれた観察扉１０は、観察扉受け３ｍ（７ｍ）にも差し込まれる。
【００４５】
観察扉受け３ｍ（７ｍ）は、コンストンバネ３ｄ（７ｄ）に連動しているので、観察扉１０が開閉されると、コンストンバネ３ｄ（７ｄ）が機能し、任意の位置で観察扉１０を固定しておくことができる。
【００４６】
右側面パーツ３（左側面パーツ７）に設けられた後連結板３ｊ（７ｊ）の内部にはヒューズホルダー３ｋ（７ｋ）が設けられている。前記ヒューズホルダー３ｋ（７ｋ）には電源ケーブル等を接続する。
【００４７】
図８は、本発明である組立式ドラフトを構成する天井パーツの平面図である。天井パーツ５は、基板５ａと排気管６により形成されている。基板５ａは、前後左右が上部に突出した形状をしており、上部に突出した前後左右の片は、その上端が更に前後左右に突出して、突出片５ｂ、５ｂ、５ｂ、５ｂを形成している。
【００４８】
本発明である組立式ドラフト１の組み立て時に、天井パーツ５を本体に取り付ける際、前記突出片５ｂ、５ｂ、５ｂ、５ｂが左右側面パーツ３、７、背面パーツ４、観察窓９の上端に引っ掛かるようにして取り付けられ、突出片５ｂ、５ｂ、５ｂ、５ｂに穿設されたビス挿通孔にビスをねじ込み、固定される。
【００４９】
天井パーツ５の基板５ａには、吸込み防止材５ｃが設けられている。前記吸込み防止材５ｃの上部には排気管６を取り付ける。
【００５０】
図９は、本発明である組立式ドラフトの構成部材である天井パーツに取り付ける排気管の右側面図である。排気管６は支持板６ｆに排気筒６ａが取り付けられた構造である。
【００５１】
排気筒６ａは、上部に鍔部６ｄが設けられ、その中心には排気口６ｂが形成されている。排気筒６ａ内部には、排気の量を調節するための回転蓋６ｅが形成され、前記回転蓋６ｅを操作するための回転蓋用ハンドル６ｃが排気筒６ａの右側面に取り付けられている。
【００５２】
前記排気管６は、天井パーツ５の上面に取り付けられ、排気口６ｂから排気される空気は、組立式ドラフト１の内部１ａから、天井パーツ５上部の吸込み防止材５ｃを通過して、排気筒６ａ内に吸い込まれ、排気口６ｂから吐き出される。
【００５３】
図１０は、本発明である組立式ドラフトに用いられる回路図である。回路図１１に示すように、本発明である組立式ドラフト１の電力供給には、電源ケーブル１１ａを既存のコンセントに接続する。それにより、蛍光灯３ａ、７ａやオプション用コンセント１１ｄを使用することができる。
【００５４】
【発明の効果】
本発明は、以上に説明したような構成であるから、以下の効果が得られる。
第１に、容易に組み立てることが可能で、実験台に限らず場所を選ばずに設置することが可能な組立式ドラフトである。
【００５５】
第２に、電気の接続工事が不用であるため、搬入、設置、移転等を簡単に行うことができる。
【図面の簡単な説明】
【図１】本発明である組立式ドラフトの斜視図である。
【図２】本発明である組立式ドラフトの構成部材を示す分解斜視図である。
【図３】本発明である組立式ドラフトの正面図である。
【図４】本発明である組立式ドラフトの平面図である。
【図５】本発明である組立式ドラフトの図３中に示したＡ−Ａ線に沿った横断面図である。
【図６】本発明である組立式ドラフトの図３中に示したＢ−Ｂ線に沿った縦断面図である。
【図７】本発明である組立式ドラフトの右側面パーツの右側面図である。
【図８】本発明である組立式ドラフトの天井パーツの平面図である。
【図９】本発明である組立式ドラフトの排気管の右側面図である。
【図１０】本発明である組立式ドラフトに用いる回路図である。
【符号の説明】
１          組立式ドラフト
１ａ        内部
１ｂ        正面部
１ｃ        右側面部
１ｄ        左側面部
１ｅ        背面部
２          右化粧カバー
２ａ        カバー板
２ｂ        上端部
２ｃ        突出部
２ｄ        左端部
２ｅ        蛍光灯スイッチ
３          右側面パーツ
３ａ        蛍光灯
３ｂ        光散板
３ｃ        保持枠
３ｄ        コンストンバネ
３ｅ        内面板
３ｆ        採光枠
３ｇ        遮光板
３ｈ        差込溝
３ｉ        前連結板
３ｊ        後連結板
３ｋ        ヒューズホルダー
３ｌ        ガイドレール
３ｍ        観察扉受け
４          背面パーツ
４ａ        基板
４ｂ        突出片
５          天井パーツ
５ａ        基板
５ｂ        突出片
５ｃ        吸込み防止材
６          排気管
６ａ        排気筒
６ｂ        排気口
６ｃ        回転蓋用ハンドル
６ｄ        鍔部
６ｅ        回転蓋
６ｆ        支持板
７          左側面パーツ
７ａ        蛍光灯
７ｂ        光散板
７ｄ        コンストンバネ
７ｅ        内面板
７ｆ        採光枠
７ｇ        遮光板
７ｈ        差込溝
７ｉ        前連結板
７ｊ        後連結板
７ｋ        ヒューズホルダー
７ｌ        ガイドレール
７ｍ        観察扉受け
８          左化粧カバー
８ａ        カバー板
８ｂ        上端部
８ｃ        突出部
８ｄ        左端部
９          観察窓
９ａ        フレーム
９ｂ        半透明板
１０          観察扉
１０ａ        透明板
１０ｂ        取っ手
１１          回路図
１１ａ        電源ケーブル
１１ｂ        インレット
１１ｃ        ガラス管ヒューズ
１１ｄ        オプション用コンセント
１１ｅ        ロッカースイッチ
１１ｆ        スイッチ
【図１】
2005000732.tif 000003
【図２】
2005000732.tif 000004
【図３】
2005000732.tif 000005
【図４】
2005000732.tif 000006
【図５】
2005000732.tif 000007
【図６】
2005000732.tif 000008
【図７】
2005000732.tif 000009
【図８】
2005000732.tif 000010
【図９】
2005000732.tif 000011
【図１０】
2005000732.tif 000012